(57)【特許請求の範囲】
【請求項１】
操作部及び表示部が装置本体の前面よりほぼ水平方向に突出した操作パネルと、
前記操作パネルを鉛直面に沿った第１の方向に回動可能に支持する第１の支持手段と、
前記操作パネルを水平面に沿った第２の方向に回動可能に支持する第２の支持手段と、を備え、
前記第１の支持手段は回動支点軸を水平方向の奥側と手前側とに移動可能に保持する保持穴を有し、
前記回動支点軸が保持穴の奥側に位置しているとき、前記操作パネルは前記第１の支持手段に形成した複数のロック穴で規制されるそれぞれの位置に第１の方向に回動可能で、かつ、前記第２の方向に所定の範囲で回動可能であり、
前記回動支点軸が保持穴の手前側に位置しているとき、前記操作パネルはほぼ垂直状態に傾けることが可能であること、
を特徴とする画像形成装置。
【請求項２】
前記回動支点軸が保持穴の奥側に位置しているとき、前記操作パネルはほぼ水平状態から第１の方向に約３０°下方に回動した状態まで傾斜可能であることを特徴とする請求項１に記載の画像形成装置。
【請求項３】
前記回動支点軸が前記保持穴の手前側に位置し、かつ、前記操作パネルがほぼ垂直状態に傾けられているとき、該操作パネルの垂直状態をロックするロック部材を備えたことを特徴とする請求項１又は請求項２に記載の画像形成装置。
【請求項４】
前記操作パネルが前記ロック部材によってロックされているとき、前記操作パネルが装置本体の側面からはみ出さないことを特徴とする請求項３に記載の画像形成装置。
【請求項５】
前記操作パネルが前記ロック部材によってロックされているとき、前記操作パネルが装置本体に取り付けた両面通路のカバーからはみ出さないことを特徴とする請求項３に記載の画像形成装置。
【発明の詳細な説明】
【技術分野】
【０００１】
本発明は、画像形成装置、特に、操作部及び表示部が装置本体の前面よりほぼ水平方向に突出した操作パネルを備えた、複写機、プリンタ、ファクシミリ、それらの複合機などの画像形成装置に関する。
【背景技術】
【０００２】
近年、複写機などの画像形成装置では多機能化が進み、操作パネルはファクシミリや電子メールなどの操作機能やタッチパネルが付加され、かつ、視認性の向上のためにも大型化している。また、健常者のみならず身体的な障害者にも使いやすいようにするためのユニバーサルデザインの思想に対応するために、操作パネルは装置本体の前面よりほぼ水平方向に突出した状態で鉛直面及び水平面に沿って回動可能に保持されるようになっている（例えば、特許文献１参照）。
【０００３】
しかしながら、大型化して突出した操作パネルは、工場からの出荷などの梱包時にデッドスペースが大きくなり、梱包が必要以上に大型化するという問題点を有していた。また、大型化で重くなった操作パネルは支点軸への負荷が大きく、輸送時の振動対策が必要となる。
【特許文献１】特開平１１−１１９４９８号公報
【発明の開示】
【発明が解決しようとする課題】
【０００４】
そこで、本発明の目的は、梱包しやすく、輸送時の振動にも耐え得る、ユニバーサルデザインの要求に応えた使い勝手の良好な操作パネルを備えた画像形成装置を提供することにある。
【課題を解決するための手段】
【０００５】
以上の目的を達成するため、本発明に係る画像形成装置は、
操作部及び表示部が装置本体の前面よりほぼ水平方向に突出した操作パネルと、
前記操作パネルを鉛直面に沿った第１の方向に回動可能に支持する第１の支持手段と、
前記操作パネルを水平面に沿った第２の方向に回動可能に支持する第２の支持手段と、を備え、
前記第１の支持手段は回動支点軸を水平方向の奥側と手前側とに移動可能に保持する保持穴を有し、
前記回動支点軸が保持穴の奥側に位置しているとき、前記操作パネルは前記第１の支持手段に形成した複数のロック穴で規制されるそれぞれの位置に第１の方向に回動可能で、かつ、前記第２の方向に所定の範囲で回動可能であり、
前記回動支点軸が保持穴の手前側に位置しているとき、前記操作パネルはほぼ垂直状態に傾けることが可能であること、
を特徴とする。
【０００６】
本発明に係る画像形成装置において、操作パネルは鉛直面及び水平面に沿った第１及び第２の方向にそれぞれ所定の範囲で回動可能に支持されているため、操作者は操作パネルを自己に使い勝手のよい姿勢に動かすことができる。そして、第１の支持手段の回動支点軸を保持穴の手前側に移動させることで、操作パネルをほぼ垂直方向に傾けることができ、梱包時に操作パネルをこのような姿勢に移動させることで、デッドスペースが小さくなって梱包が容易になり、かつ、回転モーメントが小さくなることで回動支点軸の負荷が軽減され、耐振動特性が向上する。
【０００７】
本発明に係る画像形成装置においては、回動支点軸が保持穴の手前側に位置し、かつ、操作パネルがほぼ垂直状態に傾けられているとき、該操作パネルの垂直状態をロックするロック部材を備えていることが好ましい。耐振動特性がより向上することになる。
【０００８】
また、操作パネルがロック部材によってロックされているとき、操作パネルが装置本体の側面からはみ出さないことが好ましい。また、操作パネルが装置本体からはみ出す場合であっても、装置本体に取り付けた両面通路のカバーからはみ出さなければよい。操作パネルがロック時に装置本体あるいはカバーからはみ出さないことにより、画像形成装置の梱包の小型化、簡略化が可能となる。
【発明を実施するための最良の形態】
【０００９】
以下、本発明に係る画像形成装置の実施例について、添付図面を参照して説明する。
【００１０】
（複写機の全体構成、図１参照）
図１に、本発明に係る画像形成装置の一実施例である複写機１を示す。この複写機１は、従来知られている電子写真法によって用紙上に画像を形成するもので、上段部に原稿画像読取りユニット８を備え、該ユニット８で読み取った原稿画像を本体部２に内蔵されている作像ユニットにて用紙上に再現する。用紙は下段部に設けた複数の給紙カセット４に積載収容されており、１枚ずつ給紙され、周知の画像形成プロセスにて画像を形成された後、排紙部５に矢印Ａ方向に排紙される。
【００１１】
操作パネル１０は複写機１の前面部であって右側寄りに本体部２から手前側にほぼ水平方向に突出して、かつ、排紙部５より排紙方向（矢印Ａ参照）上流側に設置されている。
【００１２】
（操作パネル、図２〜図５参照）
操作パネル１０は、図２〜図５に示すように、表示を主とする第１の操作部１１と、主にテンキー２２などを設けた第２の操作部２１とからなり、それぞれの操作面が複写機本体部２の左右方向（矢印Ｂ参照）と直交する方向に、かつ、水平面Ｃに対して所定の異なる角度を有して一体化されている。具体的には、図４に示すように、第１の操作面は水平面Ｃに対する角度θ１が２０°〜２５°に設定され、第２の操作面は水平面Ｃに対する角度θ２が５°〜１０°に設定されている。そして、第１及び第２の操作面のなす角度θ３は１６０°〜１７０°に設定されている。
【００１３】
第２の操作部２１は第１の操作部１１の手前側に位置し、第１の操作部１１は平面視で長方形をなしている。第２の操作部２１は平面視で略半月状をなしている。そして、第１の操作部１１の手前側辺と第２の操作部２１の奥側直線部が段部２０（図５参照）を有して結合され、第１の操作部１１は第２の操作部２１よりも水平面Ｃに対して起立した角度を有している。また、第１及び第２の操作部１１，２１の幅寸法は互いに異なり、第１の操作部１１の幅寸法は第２の操作部２１の幅寸法よりも大きく構成されている。
【００１４】
第１の操作面には液晶表示素子１２が設けられ、該液晶表示素子１２は複写機本体部２や画像読取りユニット８の動作モードを設定するためのタッチパネルが併設され、各種動作モードの設定、表示を行う。第１の操作面には、液晶表示素子１２の右側に、モードメモリキー１３、カウンタ積算表示キー１４が設けられている。さらに、液晶表示素子１２の手前側に、使用頻度の低い操作キー１５（例えば、明るさ設定、ボックスメモリ、ファクシミリ／スキャン切替え、コピー切替え、リセットの各種操作キー）が設けられている。
【００１５】
第２の操作面には、テンキー２２、プリントスタートキー２３、ストップキー２４、割込みキー２５、確認コピーキー２６、クリアキー２７が設けられ、左側の縁部に沿ってヘルプなどのキー２８が設けられている。そして、第２の操作部２１の手前側の円弧形状をなす部分には複写機本体部２や画像読取りユニット８の注意状態を表示する点灯表示部３１が設けられている。この点灯表示部３１は、複写機本体部２や画像読取りユニット８が正常に稼動しているときは、例えば緑色が表示され、用紙切れやトナー切れの発生あるいは紙詰まりの発生などが検知されると、例えば赤色が表示される。このように注意状態が表示されると、操作者は第１の操作部１１に設けた液晶表示素子１２の表示を確認し、その具体的な注意状態を確認することになる。
【００１６】
ところで、前記操作パネル１０は鉛直面に沿った第１の方向Ｅ（図４参照）に回動可能であるとともに、水平面に沿った第２の方向Ｆ（図２及び図４参照）に回動可能である。以下、操作パネル１０を第１の方向Ｅに回動可能に支持する第１の支持手段４０及び第２の方向Ｆに回動可能に支持する第２の支持手段６０について説明する。
【００１７】
（第１及び第２の支持手段、図６〜図１２参照）
第１の支持手段４０は、図６〜図９に示すように、固定側ブラケット４１，４２の間に挟着したパイプ４３に回動支点軸４４を挿通させ、該回動支点軸４４の両端に可動側ブラケット４５，４６が第１の方向Ｅに回動可能に取り付けられている。操作パネル１０はこの可動側ブラケット４５，４６の突片４５ａ，４６ａにビスで固定されている。
【００１８】
回動支点軸４４は外周面の一部がカットされた断面Ｄ形状とされ（図１３（Ｃ）及び図１４（Ｃ）参照）、該回動支点軸４４が挿通される可動側ブラケット４５，４６の挿通穴４５ｃ、４６ｃもＤ形状とされ、可動側ブラケット４５，４６は回動支点軸４４と一体的に回動する。
【００１９】
また、可動側ブラケット４５，４６には保持ブラケット４７が固定されており、該保持ブラケット４７にはロック爪４８ａを有するロック片４８（図１１参照）がピン４８ｂを支点として回動自在に装着され、ロック片４８の一端はピン４８ｃを介してスライド片４９に連結されている。スライド片４９は保持ブラケット４７上に長穴４９ａがピン４７ａに係合することによって矢印Ｇ方向にスライド自在にとりつけられている。また、スライド片４９は、可動側ブラケット４６に固定した突片５０との間にコイルばね５１が張り設けられ、該コイルばね５１にて奥側への復帰力を付与されている。さらに、スライド片４９の端部には把手５２が固定されている。
【００２０】
一方、図６及び図９に示すように、固定側ブラケット４１には三つのロック穴４１ａ，４１ｂ，４１ｃが形成されており、可動側ブラケット４５には一つのロック穴４５ｂが形成されている。前記ロック爪４８ａは固定側ブラケット４１の三つのロック穴４１ａ，４１ｂ，４１ｃのいずれかに突入するとともに、可動側ブラケット４５のロック穴４５ｂに突入することにより、可動側ブラケット４５，４６、即ち操作パネル１０を３段階の回動角度に位置決めする。
【００２１】
以上の構成からなる第１の支持手段４０において、操作パネル１０の第１の方向Ｅに関するデフォルト位置（図７参照）は、ロック爪４８ａが固定側ブラケット４１の上段のロック穴４１ａに突入した状態である。このとき、図４に示すように、第２の操作面は水平面Ｃに対して約７°の角度を有して位置固定される。操作者が把手５２を指で手前側（矢印Ｇ方向）に引くと、図１１に示すように、把手５２とともにスライド片４９が手前側に引き出され、ロック片４８がピン４８ｂを支点として時計回り方向に回動する。これにて、ロック爪４８ａがロック穴４１ａ，４１ｂ，４１ｃとの係合を解除され、操作パネル１０は第１の方向Ｅに対して自由に回動可能な状態となる。
【００２２】
ロック解除状態で把手５２を下げていくと、操作パネル１０は回動支点軸４４を中心に下方に回動し、ロック爪４８ａを中段のロック穴４１ｂを通じてロック穴４５ｂに係合させると、操作パネル１０は中段位置に回動した状態でロックされる。また、ロック爪４８ａを下段のロック穴４１ｃを通じてロック穴４５ｂに係合させると、操作パネル１０は下段に回動した状態でロックされる（図９参照）。操作パネル１０が下段に回動してロックされる角度は前記デフォルト位置から約２０°〜３０°下方に回動した角度である。
【００２３】
ロック動作は、把手５２に対する引っ張り力を解除すると、スライド片４９がコイルばね５１のばね力で奥側にスライドするとともに、ロック片４８がピン４８ｂを支点として図１１中反時計回り方向に回動し、ロック爪４８ａがロック穴４１ａ，４１ｂ，４１ｃのいずれかを通じてロック穴４５ｂに係合することにより行われる。
【００２４】
また、図６及び図９に示すように、パイプ４３の外周面には巻きばね５３が巻回されており、該巻きばね５３の一端が固定側ブラケット４２に係止されるとともに、他端が可動側ブラケット４６に係止されている。この巻きばね５３のばね力によって、操作パネル１０を下方に回動させるときの抵抗力となってロックを解除した際に操作パネル１０が下方に落ち込むのを防止する。また、巻きばね５３は操作パネル１０を上方へ回動させる際の抵抗を軽減している。即ち、巻きばね５３は重力に抗する方向に操作パネル１０の自重を支えるバランサーとして機能する。
【００２５】
次に、操作パネル１０を水平面Ｃに沿った第２の方向Ｆに回動可能に支持する第２の支持手段６０について説明する。
【００２６】
図６に示すように、ブラケット４２はその穴４２ａに、水平保持ブラケット６１，６２に鉛直方向に取り付けた回動支点軸６３が挿通することで、回動支点軸６３を支点として水平面上で回動可能であり、水平保持ブラケット６１，６２は固定用ブラケット６４を介して前記画像読取りユニット８の前面に固定されている。
【００２７】
また、ブラケット４１，４２と水平保持ブラケット６１，６２との間に介在されたワッシャー６５，６５は第２の方向Ｆへの回動に対する回動抵抗力を付与するブレーキ材としても機能する。ワッシャー６５は固定側ブラケット４１，４２と接触する面にフッ素や超高密度ポリエチレンなどの摺動剤を設けたもので、水平保持ブラケット６１，６２と接触する面には特に処理しないか、ブラスト処理などのブレーキ効果を有する処理が施されている。
【００２８】
以上の構成からなる第２の支持手段６０において、操作パネル１０を操作者が手で水平方向に押すことにより、回動支点軸６３を支点として左右方向に回動し（図１２参照）、このときワッシャー６５によって適度な回動抵抗力が作用する。また、ワッシャー６５による回動抵抗力量は、ブラケット４１，６１及び４２，６２間の圧接力を変更することで調整可能である。具体的には、回動支点軸６３に対するナット６６の締付け力を変更することで回動抵抗力を調整することができる。
【００２９】
第２の方向Ｆに対して、操作パネル１０のデフォルト位置は、第２の操作面上に配置されたテンキー２２などの横列が複写機本体部２の前面と平行になる位置である。そして、操作パネル１０はこのデフォルト位置から約２５°〜３５°操作者側、即ち図１２に示すように、左側に回動可能であり、任意の回動角度で停止する。
【００３０】
（支持手段による作用効果）
以上に説明した操作パネル構造体によって、操作パネル１０を前記第１及び第２の支持手段４０，６０で鉛直面及び水平面に沿って回動可能とすることにより、操作者の身長や姿勢に応じて、あるいは、車椅子の使用に合わせて、第１及び第２の操作面を任意の角度に調整でき、ユニバーサルデザインの要求に応えることができる。
【００３１】
特に、第１の方向Ｅには操作パネル１０を複数（３箇所）の所定の角度で保持するロック手段を設けたため、操作者は迷うことなく所定の角度に設定することができ、かつ、乱暴なキー操作がなされた場合であっても、重力方向への押圧力に十分に耐え得ることができ、支持手段４０にがたつきや弛みが生じるおそれはない。また、第２の方向Ｆにはワッシャー６５（ブレーキ材）にて適度な回動抵抗力を付与することにより、人間にとっては操作しずらい水平方向への回動を良好に操作することが可能になる。
【００３２】
また、第１の支持手段４０は第２の支持手段６０に取り付けられ、第１の方向Ｅの回動動作は第２の方向Ｆの回動動作とは独立して動作する。そして、操作パネル１０は第１の方向Ｅにロックした状態で第２の方向Ｆに回動可能であり、かつ、第１の方向Ｅへのロックを解除した状態であっても第２の方向Ｆに回動可能である。また、ロックを解除した状態で第１及び第２の方向Ｅ，Ｆに同時に回動可能である。これにて、操作者は自在に操作パネル１０の向きを調整することができる。
【００３３】
巻きばね５３が重力に抗する方向に操作パネル１０の自重を支えるバランサーとして機能することで、操作パネル１０を上方へ回動させる際の操作が容易になる。なお、この種のバランサーは必ずしも必要ではなく、省略してもよい。また、バランサーではなく、第２の支持手段６０と同じように、ワッシャー５８（図６参照）に適度な回動抵抗力を付与してブレーキ材として機能させてもよい。また、ロック手段が設けられている場合には、第１の方向Ｅへのブレーキ材も本発明において必ずしも必要なものではなく、省略してもよい。
【００３４】
さらに、前記ロック手段は必ずしも必要なものではなく、省略してもよい。但し、ロック手段を省略した場合には、支持手段４０に前記ワッシャー５８などによるブレーキ材を設けて任意の位置で操作パネル１０の回動角度を停止できる機構が必要となる。
【００３５】
（回動支点軸の配置）
ところで、前記第１の支持手段４０の回動支点軸４４は、第１の操作部１１の下方であって、第１の操作面の中心Ｊ（図２参照）より奥側に設けられている。第２の支持手段６０の回動支点軸６３は、第１の操作部１１の下方であって、第１の操作面の中心Ｊより左側に設けられている。具体的には、好ましい配置の一例として図２及び図４に示すように、回動支点軸４４は第１の操作面の中心Ｊと奥側辺との間隔Ｋ１の略中間位置に設けられている。また、回動支点軸６３は第１の操作面の中心Ｊと左側辺との間で、間隔Ｋ２の約１／３右寄りの位置に設けられている。
【００３６】
このように、第１の支持手段４０の回動支点軸４４を第１の操作面の中心Ｊより奥側に設けたため、操作パネル１０が第１の方向Ｅへ回動する際に、操作パネル１０の奥側部分が不必要に上方に移動することがなく、原稿載置台からはみ出した大きな原稿に干渉することがなくなる。しかも、操作パネル１０の前側部分の前方への飛出し量も小さく、操作者に干渉することがなくなる。
【００３７】
また、第２の支持手段６０の回動支点軸６３を第１の操作面の中心Ｊより左側に設けたため、操作パネル１０が左側に大きく飛び出すことがなく、複写機本体部２に対して通常左側に立つ操作者に対して干渉することがなくなり、かつ、操作性を犠牲にすることがない。
【００３８】
さらに、第１の支持手段４０の回動支点軸４４は第２の支持手段６０の回動支点軸６３よりも手前側に設けられているため、換言すれば、第１の支持手段４０が第２の支持手段６０に保持されているため、操作パネル１０が第１の方向Ｅへの所定の角度を保持した状態で第２の方向Ｆへ回動することになるので、操作性が向上する。また、操作パネル１０の自重による回転モーメントを小さくでき、キー操作による下方への耐衝撃性に対しても有利になる。
【００３９】
（操作パネルの梱包時の姿勢、図１３〜図１６参照）
本実施例において、操作パネル１０は、図１３（Ａ），（Ｂ）に示すように、装置本体（画像読取りユニット８の筐体８ａの外装カバー８ｂ）に取り付けられ、通常、ほぼ水平方向に位置し、前述のごとく垂直方向（矢印Ｅ方向）及び水平方向（矢印Ｆ方向）に所定の範囲で回動可能である。一方、操作パネル１０は、図１４（Ａ），（Ｂ）に示すように、装置本体に対してほぼ垂直状態にまで傾けることが可能である。ここで、操作パネル１０をほぼ垂直状態に傾けるための機構について説明する。
【００４０】
回動支点軸４４は前述のごとく断面Ｄ形状に形成されており、図６に示した固定側ブラケット４１，４２の保持穴５５は、回動支点軸４４を水平方向の奥側と手前側とに移動可能に保持するように形成されている。具体的には、図１３（Ｃ）及び図１４（Ｃ）に示すように、保持穴５５は回動支点軸４４を奥側で保持する穴部５５ａと奥側で保持する５５ｂとその間に位置する移動路部５５ｃとで構成されている。穴部５５ａ，５５ｂは回動支点軸４４の直径に等しく、移動路部５５ｃの幅寸法は該支点軸４４の厚さｘに等しい。
【００４１】
通常の使用時において、回動支点軸４４は奥側の穴部５５ａに位置し、垂直方向及び水平方向に所定の範囲で回動自在である。Ｄカット部分が水平になるように回動支点軸４４を回転させ、この状態で操作パネル１０を手前側に若干引き出すと、回動支点軸４４は移動路部５５ｃを通じて手前側の穴部５５ｂに位置する（図１４（Ｃ）参照）。この状態で操作パネル１０をほぼ垂直状態まで傾けることが可能となる（図１４（Ａ），（Ｂ）及び図１５参照）。梱包時には操作パネル１０をこのようにほぼ垂直状態に傾けることにより、デッドスペースが小さくなって梱包しやくなる。また、突出量が少ないので操作パネル１０の回転モーメントも小さく、振動などによる回動支点軸４４の負荷が軽減される。
【００４２】
また、通常使用時における操作パネル１０の下方への回動のストッパとして、可動側ブラケット４５のねじ孔４５ｄ（図６参照）にねじ５６（図９参照）が取り付けられている。このねじ５６は操作パネル１０が下限角度まで回動したときに、固定側ブラケット４１の上端面に当接する。また、ねじ５６は、梱包時においては、ねじ孔４５ｄから外されて可動側ブラケット４５のねじ孔４５ｅに取り付けられ、固定側ブラケット４１の孔４１ｄに挿通される。これにて、梱包時において操作パネル１０がほぼ垂直状態を保持するようにロックされることになる。
【００４３】
操作パネル１０が前記ねじ５６によってロックされているとき、図１４（Ａ）に示すように、操作パネル１０の側部は複写機１の側面からはみ出すことはない。換言すれば、操作パネル１０の側部は筐体８ａの側面よりも内側に配置されている。これにて、複写機１の梱包が小型化、簡略化される。また、操作パネル１０の側部が筐体８ａの側面よりもはみ出していても、図１６に示すように、複写機１に取り付けた、用紙の両面に画像を形成するための両面通路のカバー９からはみ出さないようにすることにより、複写機１の梱包が小型化、簡略化されることになる。
【００４４】
（他の実施例）
なお、本発明に係る画像形成装置は前記実施例に限定するものではなく、その要旨の範囲内で種々に変更することができる。
【００４５】
特に、第１及び第２の支持手段の細部の構造、形状は任意であり、また、操作パネルの第１及び第２の操作面の構成も任意である。また、本発明は複写機を始めプリンタ、ファクシミリ、それらの複合機などの種々の画像形成装置に適用することができる。
【図面の簡単な説明】
【００４６】
【図１】本発明に係る画像形成装置の一実施例である複写機を示す外観斜視図である。
【図２】操作パネルを示す平面図である。
【図３】操作パネルを示す正面図である。
【図４】操作パネルを示す側面図である。
【図５】操作パネルを示す拡大断面図である。
【図６】第１及び第２の支持手段を示す分解斜視図である。
【図７】第１及び第２の支持手段（デフォルト位置）を示す側面図である。
【図８】第１及び第２の支持手段（第１の方向への回動位置）を示す側面図である。
【図９】第１の支持手段ロック位置を示す断面図である。
【図１０】第１及び第２の支持手段を示す平面図である。
【図１１】第１の支持手段におけるロック解除時を示す平面図である。
【図１２】第２の支持手段の回動状態を示す平面図である。
【図１３】操作パネルの通常状態を示し、（Ａ）は平面図、（Ｂ）は側面図、（Ｃ）は回動支点軸と保持孔との関係を示す説明図である。
【図１４】操作パネルの梱包時の状態を示し、（Ａ）は平面図、（Ｂ）は側面図、（Ｃ）は回動支点軸と保持孔との関係を示す説明図である。
【図１５】第１及び第２の支持手段の梱包時を示す側面図である。
【図１６】両面通路カバーを取り付けた複写機における操作パネルの梱包時の状態を示す平面図である。
【符号の説明】
【００４７】
１…複写機
２…複写機本体部
１０…操作パネル
４０…第１の支持手段
４４…回動支点軸
５５…保持穴
５６…ねじ（ロック部材）
６０…第２の支持手段
【図１】
0005029163.tif 000002
【図２】
0005029163.tif 000003
【図３】
0005029163.tif 000004
【図４】
0005029163.tif 000005
【図５】
0005029163.tif 000006
【図６】
0005029163.tif 000007
【図７】
0005029163.tif 000008
【図８】
0005029163.tif 000009
【図９】
0005029163.tif 000010
【図１０】
0005029163.tif 000011
【図１１】
0005029163.tif 000012
【図１２】
0005029163.tif 000013
【図１３】
0005029163.tif 000014
【図１４】
0005029163.tif 000015
【図１５】
0005029163.tif 000016
【図１６】
0005029163.tif 000017